(57)【特許請求の範囲】
【請求項１】
デジタルカメラ機能を有する外部装置とピクトブリッジ規格に基づいて画像データ、印刷設定情報及び各種指令情報を通信する通信手段と、
画像データに基づく画像、印刷設定及び各種指令を表示する表示手段と、
被記録媒体に画像データの画像記録を行う記録手段と、
印刷設定及び各種指令が入力される入力手段と、
画像データ及び印刷設定情報を記憶する記憶手段と、
ダイレクトプリントにおいて上記外部装置からピクトブリッジ規格に基づいて転送された画像データ及び印刷設定情報を上記記憶手段に記憶させ、該画像データに基づく画像を上記表示手段に表示させ、且つ上記記録手段に当該画像データの画像記録を行わせることなく上記外部装置にピクトブリッジ規格による印刷終了情報を送信する単表示モードが設定される制御手段と、を具備してなるものである記録装置。
【請求項２】
上記制御手段は、上記単表示モードにおいて、上記入力手段に入力された印刷開始を示す指令を受けて、上記記憶手段に記憶された画像データ及び印刷設定情報に基づいて上記記録手段に画像記録を行わせるものである請求項１に記載の記録装置。
【請求項３】
上記制御手段は、上記単表示モードにおいて、上記入力手段に入力された印刷設定に基づいて、上記記憶手段に記憶された印刷設定情報を更新するものである請求項１に記載の記録装置。
【請求項４】
上記制御手段は、上記単表示モードにおいて、上記入力手段に入力された画像処理を示す指令に基づいて、上記記憶手段に記憶された画像データの画像処理を行い、画像処理後の画像データに基づく画像を上記表示手段に表示させるとともに該画像データを上記記憶手段に記憶させるものである請求項１に記載の記録装置。
【請求項５】
上記制御手段は、上記単表示モードにおいて、上記外部装置から画像データ及び印刷設定情報が転送される際に、該画像データ及び印刷設定情報を記憶可能な領域を上記記憶手段が有するか否かを判断し、上記記憶手段に該画像データ及び印刷設定情報を記憶可能な領域がないと判断した場合に、該外部装置に印刷無効を示す指令情報を送信するものである請求項１に記載の記録装置。
【請求項６】
上記制御手段は、上記外部装置から転送された画像データ及び印刷設定情報に基づいて上記記録手段に画像記録を行わせ、該画像データ及び印刷設定情報を上記記憶手段に記憶させ、且つ該画像データに基づく画像を上記表示手段に表示させる印刷表示モードが設定されるものである請求項１に記載の記録装置。
【請求項７】
上記制御手段は、上記印刷表示モード又は単表示モードにおいて、上記入力手段に入力された印刷開始を示す指令を受けて、上記記憶手段に記憶された画像データ及び印刷設定情報に基づいて上記記録手段に画像記録を行わせるものである請求項６に記載の記録装置。
【請求項８】
上記制御手段は、上記印刷表示モード又は単表示モードにおいて、上記入力手段に入力された印刷設定に基づいて、上記記憶手段に記憶された印刷設定情報を更新するものである請求項６に記載の記録装置。
【請求項９】
上記制御手段は、上記印刷表示モード又は単表示モードにおいて、上記入力手段に入力された画像処理を示す指令に基づいて、上記記憶手段に記憶された画像データの画像処理を行い、画像処理後の画像データに基づく画像を上記表示手段に表示させるとともに該画像データを上記記憶手段に記憶させるものである請求項６に記載の記録装置。
【請求項１０】
上記制御手段は、上記印刷表示モード又は単表示モードにおいて、上記外部装置から画像データ及び印刷設定情報が転送される際に、該画像データ及び印刷設定情報を記憶可能な領域を上記記憶手段が有するか否かを判断し、上記記憶手段に該画像データ及び印刷設定情報を記憶可能な領域がないと判断した場合に、該外部装置に印刷無効を示す指令情報を送信するものである請求項６に記載の記録装置。
【請求項１１】
上記制御手段は、上記外部装置から転送された画像データ及び印刷設定情報に基づいて上記記録手段に画像記録を行わせる単印刷モードが設定されるものである請求項１から１０のいずれかに記載の記録装置。
【請求項１２】
デジタルカメラ機能を有する外部装置と記録装置とが画像データ及び印刷設定情報を通信可能に接続された画像形成システムであって、
上記外部装置は、撮像光を画像データに光電変換する撮影手段、印刷設定及び各種指令が入力される第１の入力手段、画像データ及び印刷設定情報を記憶する第１の記憶手段、並びにピクトブリッジ規格に基づいて画像データ、印刷設定情報及び各種指令情報を記録装置へ転送する第１の通信手段を備えてなるものであり、
上記記録装置は、外部装置とピクトブリッジ規格に基づいて画像データ、印刷設定情報及び各種指令情報を通信する第２の通信手段、画像データに基づく画像、印刷設定及び各種指令を表示する表示手段、被記録媒体に画像データの画像記録を行う記録手段、印刷設定及び各種指令が入力される第２の入力手段、画像データ及び印刷設定情報を記憶する第２の記憶手段、並びにダイレクトプリントにおいて外部装置からピクトブリッジ規格に基づいて転送された画像データ及び印刷設定情報を上記第２の記憶手段に記憶させ、該画像データに基づく画像を上記表示手段に表示させ、且つ上記記録手段に当該画像データの画像記録を行わせることなく上記外部装置にピクトブリッジ規格による印刷終了情報を送信する単表示モードが設定される制御手段を備えてなるものである画像形成システム。
【請求項１３】
上記記録装置の制御手段は、上記単表示モードにおいて、上記第２の入力手段に入力された印刷開始を示す指令を受けて、上記第２の記憶手段に記憶された画像データ及び印刷設定情報に基づいて上記記録手段に画像記録を行わせるものである請求項１２に記載の画像形成システム。
【請求項１４】
上記記録装置の制御手段は、上記単表示モードにおいて、上記第２の入力手段に入力された印刷設定に基づいて、上記第２の記憶手段に記憶された印刷設定情報を更新するものである請求項１２に記載の画像形成システム。
【請求項１５】
上記記録装置の制御手段は、上記単表示モードにおいて、上記第２の入力手段に入力された画像処理を示す指令に基づいて、上記第２の記憶手段に記憶された画像データの画像処理を行い、画像処理後の画像データに基づく画像を上記表示手段に表示させるとともに該画像データを上記第２の記憶手段に記憶させるものである請求項１２に記載の画像形成システム。
【請求項１６】
上記記録装置の制御手段は、上記単表示モードにおいて、上記外部装置から画像データ及び印刷設定情報が転送される際に、該画像データ及び印刷設定情報を記憶可能な領域を上記第２の記憶手段が有するか否かを判断し、上記第２の記憶手段に該画像データ及び印刷設定情報を記憶可能な領域がないと判断した場合に、該外部装置に印刷無効を示す指令情報を送信するものであり、
上記外部装置は、該印刷無効を示す指令情報を受信した後、待機状態に復帰するものである請求項１２に記載の画像形成システム。
【請求項１７】
上記記録装置の制御手段は、上記外部装置から転送された画像データ及び印刷設定情報に基づいて上記記録手段に画像記録を行わせ、該画像データ及び印刷設定情報を上記記憶手段に記憶させ、且つ該画像データに基づく画像を上記表示手段に表示させる印刷表示モードが設定されるものである請求項１２に記載の画像形成システム。
【請求項１８】
上記記録装置の制御手段は、上記印刷表示モード又は単表示モードにおいて、上記第２の入力手段に入力された印刷開始を示す指令を受けて、上記第２の記憶手段に記憶された画像データ及び印刷設定情報に基づいて上記記録手段に画像記録を行わせるものである請求項１７に記載の画像形成システム。
【請求項１９】
上記記録装置の制御手段は、上記印刷表示モード又は単表示モードにおいて、上記第２の入力手段に入力された印刷設定に基づいて、上記第２の記憶手段に記憶された印刷設定情報を更新するものである請求項１７に記載の画像形成システム。
【請求項２０】
上記記録装置の制御手段は、上記印刷表示モード又は単表示モードにおいて、上記第２の入力手段に入力された画像処理を示す指令に基づいて、上記第２の記憶手段に記憶された画像データの画像処理を行い、画像処理後の画像データに基づく画像を上記表示手段に表示させるとともに該画像データを上記第２の記憶手段に記憶させるものである請求項１７に記載の画像形成システム。
【請求項２１】
上記記録装置の制御手段は、上記印刷表示モード又は単表示モードにおいて、上記外部装置から画像データ及び印刷設定情報が転送される際に、該画像データ及び印刷設定情報を記憶可能な領域を上記第２の記憶手段が有するか否かを判断し、上記第２の記憶手段に該画像データ及び印刷設定情報を記憶可能な領域がないと判断した場合に、該外部装置に印刷無効を示す指令情報を送信するものであり、
上記外部装置は、該印刷無効を示す指令情報を受信した後、待機状態に復帰するものである請求項１７に記載の画像形成システム。
【請求項２２】
上記記録装置の制御手段は、上記外部装置から転送された画像データ及び印刷設定情報に基づいて上記記録手段に画像記録を行わせる単印刷モードが設定されるものである請求項１２から２１のいずれかに記載の画像形成システム。
【請求項２３】
ピクトブリッジ規格に基づいて画像データ、印刷設定情報及び各種指令情報を通信可能に接続されたデジタルカメラ機能を有する外部装置及び記録装置による通信方法であって、
上記記録装置が、上記外部装置からピクトブリッジ規格に基づいて転送された画像データ及び印刷設定情報を記憶媒体に記憶させるステップと、
上記記録装置が、記憶した画像データに基づく画像を画面に表示するステップと、
上記記録装置が、上記画像データ及び印刷設定情報に基づいて画像記録を行わずに外部装置にピクトブリッジ規格による印刷終了情報を送信するステップと、
上記外部装置が、ピクトブリッジ規格による印刷終了情報を受信して待機状態に復帰するステップと、を含むものである通信方法。
【請求項２４】
上記記録装置が、入力された印刷開始を示す指令を受けて、記憶媒体に記憶された画像データ及び印刷設定情報に基づいて画像記録を行うステップをさらに含むものである請求項２３に記載の通信方法。
【請求項２５】
上記記録装置が、入力された印刷設定に基づいて、記憶媒体に記憶された印刷設定情報を更新するステップをさらに含むものである請求項２３又は２４に記載の通信方法。
【請求項２６】
上記記録装置が、入力された画像処理を示す指令に基づいて、記憶媒体に記憶された画像データの画像処理を行うステップと、
上記記録装置が、画像処理後の画像データに基づく画像を画面に表示させるステップと、をさらに含むものである請求項２３又は２４に記載の通信方法。
【請求項２７】
上記記録装置が、上記外部装置から画像データ及び印刷設定情報が転送される際に、該画像データ及び印刷設定情報を記憶可能な領域を記憶媒体が有するか否かを判断するステップと、
上記記録装置が、上記記憶媒体に該画像データ及び印刷設定情報を記憶可能な領域がないと判断した場合に、外部装置に印刷無効を示す指令情報を送信するステップと、
上記外部装置が、印刷無効を示す指令情報を受信して待機状態に復帰するステップと、をさらに含むものである請求項２３から２６のいずれかに記載の通信方法。
【発明の詳細な説明】
【技術分野】
【０００１】
本発明は、外部装置から画像データ、印刷設定情報及び各種指令情報が転送されて、被記録媒体に画像データの画像記録を行う記録装置に関する。また、本発明は、外部装置と記録装置とが画像データ及び印刷設定情報を通信可能に接続された画像形成システム及び通信方法に関する。
【背景技術】
【０００２】
撮影された画像を電気信号からなる画像データに変換して記憶する装置として、デジタルカメラやデジタルビデオカメラ等が普及している。このような画像撮影装置により撮影された画像を、コンピュータ等を使用しないでプリンタにより印刷する方式が提案されている。このような印刷方式は、一般にダイレクトプリントと称される。ダイレクトプリントでは、デジタルカメラ等の画像撮影装置は、ＵＳＢ（Universal Serial Bus）ケーブル等を用いてプリンタに直接接続される。
【０００３】
ダイレクトプリントを行う際には、デジタルカメラ等の画像撮影装置の液晶表示パネル（Liquid Crystal Display：以下「ＬＣＤ」と呼ぶ。）において、記憶された複数の画像データの画像から印刷すべき画像を選択し、記録用紙や印刷枚数を設定して、印刷開始の指令の入力を行う。画像撮影装置に記憶された画像データや印刷設定情報は、ＵＳＢケーブルを通じてプリンタへ転送される。プリンタは、該画像データ及び印刷設定情報に基づいて、記録用紙に画像記録を行う。
【０００４】
デジタルカメラ等の画像撮影装置は、携帯性の向上等の観点から、小型化や軽量化が図られている。小型化を実現するためには、画像撮影装置に備えられるＬＣＤの大きさが制約される。しかし、小さなＬＣＤでは、画像や印刷設定が画面で確認し難いという問題がある。これに対し、画像撮影装置のＬＣＤと、プリンタに備えられたＬＣＤとを同時に表示する手段が提案されている（特許文献１参照）。
【０００５】
【特許文献１】特開２００４−２０７９２６号公報
【発明の開示】
【発明が解決しようとする課題】
【０００６】
しかし、画像撮影装置が、プリンタとの間でデータの転送を行いながら、画像撮影装置のＬＣＤとプリンタのＬＣＤとを同時に制御するとすれば、画像撮影装置が担うデータ処理等の負荷が大きくなり、装置の大型化やコストアップ、転送速度の低下等の原因となる。
【０００７】
また、ダイレクトプリントを実現するための画像撮影装置とプリンタとのデータ通信において、統一規格を策定することが試みられており、このような統一規格に基づいて、画像撮影装置の多機種に幅広く対応できるプリンタが望まれる。
【０００８】
本発明は、かかる問題に鑑みてなされたものであり、画像撮影装置等の外部装置から転送された画像データ及び印刷設定情報を画像形成装置において表示し、さらに所望の画像処理や印刷設定の変更ができる手段を提供することを目的とする。
【課題を解決するための手段】
【０００９】
(1)本発明に係る記録装置は、デジタルカメラ機能を有する外部装置とピクトブリッジ規格に基づいて画像データ、印刷設定情報及び各種指令情報を通信する通信手段と、画像データに基づく画像、印刷設定及び各種指令を表示する表示手段と、被記録媒体に画像データの画像記録を行う記録手段と、印刷設定及び各種指令が入力される入力手段と、画像データ及び印刷設定情報を記憶する記憶手段と、ダイレクトプリントにおいて上記外部装置からピクトブリッジ規格に基づいて転送された画像データ及び印刷設定情報を上記記憶手段に記憶させ、該画像データに基づく画像を上記表示手段に表示させ、且つ上記記録手段に当該画像データの画像記録を行わせることなく上記外部装置にピクトブリッジ規格による印刷終了情報を送信する単表示モードが設定される制御手段と、を具備してなるものである記録装置。
【００１０】
本記録装置は、通信手段を通じてピクトブリッジ規格に基づいたデータ通信可能に外部装置と接続される。記録装置の制御手段には、単表示モードが設定され得る。単表示モードが設定された場合には、制御手段は、外部装置からピクトブリッジ規格に基づいて転送された画像データ及び印刷設定情報に基づく画像記録を行うことなく、画像データ及び印刷設定情報を記憶手段に記憶させる。これにより、制御手段は、記憶手段に記憶された画像データ及び印刷設定情報に基づいて、記録手段に画像記録を行わせることが可能になる。また、制御手段は、記憶手段に記憶された画像データに基づく画像を表示手段に表示させる。これにより、使用者は、記録装置の表示手段により画像を確認することが可能になる。外部装置からのデータ転送を終了した記録手段は、外部装置へピクトブリッジ規格による印刷終了情報を送信する。記録装置の制御手段から印刷終了情報を受けることにより、記録装置において画像記録が行われたか否かに拘わらず、外部装置はピクトブリッジ規格によるデータ通信を終了する。その後、使用者は、記録装置の記憶手段に記憶された画像データ及び印刷設定情報に基づいて、画像記録や画像処理等を記録装置単独で行うことができる。これにより、記録装置は、単表示モードにおいて、ピクトブリッジ規格を用いて外部装置とデータ通信を行うことができるので、ピクトブリッジ規格を採用する外部装置に幅広く対応することができる。
【００１１】
(2)上記制御手段は、上記単表示モードにおいて、上記入力手段に入力された印刷開始を示す指令を受けて、上記記憶手段に記憶された画像データ及び印刷設定情報に基づいて上記記録手段に画像記録を行わせるものであってもよい。
【００１２】
(3)上記制御手段は、上記単表示モードにおいて、上記入力手段に入力された印刷設定に基づいて、上記記憶手段に記憶された印刷設定情報を更新するものであってもよい。
【００１３】
(4)上記制御手段は、上記単表示モードにおいて、上記入力手段に入力された画像処理を示す指令に基づいて、上記記憶手段に記憶された画像データの画像処理を行い、画像処理後の画像データに基づく画像を上記表示手段に表示させるとともに該画像データを上記記憶手段に記憶させるものであってもよい。
【００１４】
(5)上記制御手段は、上記単表示モードにおいて、上記外部装置から画像データ及び印刷設定情報が転送される際に、該画像データ及び印刷設定情報を記憶可能な領域を上記記憶手段が有するか否かを判断し、上記記憶手段に該画像データ及び印刷設定情報を記憶可能な領域がないと判断した場合に、該外部装置に印刷無効を示す指令情報を送信するものであってもよい。
【００１５】
(6)上記制御手段は、上記外部装置から転送された画像データ及び印刷設定情報に基づいて上記記録手段に画像記録を行わせ、該画像データ及び印刷設定情報を上記記憶手段に記憶させ、且つ該画像データに基づく画像を上記表示手段に表示させる印刷表示モードが設定されるものであってもよい。
【００１６】
本記録装置は、通信手段を通じてデータ通信可能に外部装置と接続される。記録装置の制御手段には、印刷表示モードが設定され得る。印刷表示モードが設定された場合には、制御手段は、外部装置から転送された画像データ及び印刷設定情報に基づいて、記録手段に画像記録を行わせる。これにより、外部装置から転送された画像データに基づく画像が被記録媒体に記録される。画像記録が終了すれば、外部装置からのデータ転送が終了する。また、制御手段は、外部装置から転送された画像データ及び印刷設定情報を記憶手段に記憶させる。これにより、制御手段は、外部装置からのデータ転送が終了した後に、記憶手段に記憶された画像データ及び印刷設定情報に基づいて、記録手段に画像記録を行わせることが可能になる。また、制御手段は、記憶手段に記憶された画像データに基づく画像を表示手段に表示させる。これにより、使用者は、記録装置の表示手段により画像を確認することが可能になる。
【００１７】
(7)また、上記制御手段は、上記印刷表示モード又は単表示モードにおいて、上記入力手段に入力された印刷開始を示す指令を受けて、上記記憶手段に記憶された画像データ及び印刷設定情報に基づいて上記記録手段に画像記録を行わせるものであってもよい。
【００１８】
これにより、使用者は、記録装置と外部装置とが画像データ及び印刷設定情報の通信を終了した後に、記憶手段に記憶された画像データ及び印刷設定情報に基づいて、再び記録装置に画像記録を行わせることが可能になる。
【００１９】
(8)また、上記制御手段は、上記印刷表示モード又は単表示モードにおいて、上記入力手段に入力された印刷設定に基づいて、上記記憶手段に記憶された印刷設定情報を更新するものであってもよい。
【００２０】
印刷表示モード又は単表示モードでは、制御手段は、外部装置から転送された画像データ及び印刷設定情報を記憶手段に記憶させる。使用者は、入力手段に所定の印刷設定を入力することにより、記憶手段に記憶された印刷設定情報を更新することができる。更新後は、制御手段は、更新された印刷設定情報に基づいて記録手段に画像記録を行わせる。これにより、使用者は、記録装置と外部装置との間でデータ通信が終了した後に、印刷設定を変更して画像記録を行わせることが可能になる。
【００２１】
(9)また、上記制御手段は、上記印刷表示モード又は単表示モードにおいて、上記入力手段に入力された画像処理を示す指令に基づいて、上記記憶手段に記憶された画像データの画像処理を行い、画像処理後の画像データに基づく画像を上記表示手段に表示させるとともに該画像データを上記記憶手段に記憶させるものであってもよい。
【００２２】
印刷表示モード又は単表示モードでは、制御手段は、外部装置から転送された画像データ及び印刷設定情報を記憶手段に記憶させる。使用者は、入力手段に所望の画像処理の指令を入力をすることにより、記憶手段に記憶された画像データに対して画像処理を行うことができる。制御手段は、画像処理後の画像データに基づく画像を表示手段に表示させる。これにより、使用者は、画像処理後の画像を確認することができる。また、制御手段は、画像処理後の画像データを記憶手段に記憶させる。制御手段は、画像処理された画像データに基づいて記録手段に画像記録を行わせる。これにより、使用者は、記録装置と外部装置との間でデータ通信が終了した後に、画像データに対して画像処理を施して画像記録を行わせることが可能になる。
【００２３】
(10)また、上記制御手段は、上記印刷表示モード又は単表示モードにおいて、上記外部装置から画像データ及び印刷設定情報が転送される際に、該画像データ及び印刷設定情報を記憶可能な領域を上記記憶手段が有するか否かを判断し、上記記憶手段に該画像データ及び印刷設定情報を記憶可能な領域がないと判断した場合に、該外部装置に印刷無効を示す指令情報を送信するものであってもよい。
【００２４】
記憶手段には、画像データ及び印刷設定情報以外の各種データが記憶される。したがって、印刷表示モード又は単表示モードが設定されても、記憶手段に、画像データ及び印刷設定情報を記憶するに十分な領域がないおそれがある。制御手段は、外部装置から画像データ及び印刷設定情報が転送される際に、該画像データ及び印刷設定情報を記憶するに十分な領域を記憶手段が有するか否かを判断する。記憶手段に、画像データ及び印刷設定情報を記憶可能な領域がないと判断した場合に、制御手段は、外部装置に印刷無効を示す指令情報を送信する。印刷無効を示す指令情報を受信した外部装置は、印刷無効であることを示すエラー表示等を行う。これにより、使用者は、画像記録が行われる前に、現在の設定では、印刷表示モード又は単表示モードが使用できないことを認知することができる。
【００２５】
(11)また、上記制御手段は、上記外部装置から転送された画像データ及び印刷設定情報に基づいて上記記録手段に画像記録を行わせる単印刷モードが設定されるものであってもよい。
【００２６】
単印刷モードが設定されることにより、記録装置の表示手段に画像を表示させる必要がない場合に、画像データや印刷設定情報を記憶手段に記憶させて保持することなく、記録装置に画像記録を行わせることができる。
【００２７】
(12)本発明は、デジタルカメラ機能を有する外部装置と記録装置とが画像データ及び印刷設定情報を通信可能に接続された画像形成システムであって、上記外部装置は、撮像光を画像データに光電変換する撮影手段、印刷設定及び各種指令が入力される第１の入力手段、画像データ及び印刷設定情報を記憶する第１の記憶手段、並びにピクトブリッジ規格に基づいて画像データ、印刷設定情報及び各種指令情報を記録装置へ転送する第１の通信手段を備えてなるものであり、上記記録装置は、外部装置とピクトブリッジ規格に基づいて画像データ、印刷設定情報及び各種指令情報を通信する第２の通信手段、画像データに基づく画像、印刷設定及び各種指令を表示する表示手段、被記録媒体に画像データの画像記録を行う記録手段、印刷設定及び各種指令が入力される第２の入力手段、画像データ及び印刷設定情報を記憶する第２の記憶手段、並びにダイレクトプリントにおいて外部装置からピクトブリッジ規格に基づいて転送された画像データ及び印刷設定情報を上記第２の記憶手段に記憶させ、該画像データに基づく画像を上記表示手段に表示させ、且つ上記記録手段に当該画像データの画像記録を行わせることなく上記外部装置にピクトブリッジ規格による印刷終了情報を送信する単表示モードが設定される制御手段を備えてなるものである。
【００２８】
外部装置を用いて撮影された像は、撮影手段により画像データに光電変換され、該画像データが第１の記憶手段に記憶される。外部装置には、第１の入力手段から印刷設定が入力される。外部装置と記録装置とは、各々の第１の通信手段及び第２の通信手段により、ピクトブリッジ規格に基づいて画像データ、印刷設定情報及び各種指令情報を通信可能に接続される。記録装置の制御手段には、単表示モードが設定され得る。単表示モードが設定された場合には、制御手段は、外部装置からピクトブリッジ規格に基づいて転送された画像データ及び印刷設定情報に基づく画像記録を行うことなく、画像データ及び印刷設定情報を第２の記憶手段に記憶させる。これにより、制御手段は、第２の記憶手段に記憶された画像データ及び印刷設定情報に基づいて、記録手段に画像記録を行わせることが可能になる。また、制御手段は、第２の記憶手段に記憶された画像データに基づく画像を表示手段に表示させる。これにより、使用者は、記録装置の表示手段により画像を確認することが可能になる。また、制御手段は、外部装置にピクトブリッジ規格による印刷終了情報を送信する。記録装置の制御手段から印刷終了情報を受けることにより、記録装置において画像記録が行われたか否かに拘わらず、外部装置はピクトブリッジ規格によるデータ通信を終了する。その後、使用者は、記録装置の第２の記憶手段に記憶された画像データ及び印刷設定情報に基づいて、画像記録や画像処理等を記録装置単独で行うことができる。これにより、記録装置は、単表示モードにおいて、ピクトブリッジ規格を用いて外部装置とデータ通信を行うことができるので、ピクトブリッジ規格を採用する外部装置に幅広く対応することができる。
【００２９】
(13)上記記録装置の制御手段は、上記単表示モードにおいて、上記第２の入力手段に入力された印刷開始を示す指令を受けて、上記第２の記憶手段に記憶された画像データ及び印刷設定情報に基づいて上記記録手段に画像記録を行わせるものであってもよい。
【００３０】
(14)上記記録装置の制御手段は、上記単表示モードにおいて、上記第２の入力手段に入力された印刷設定に基づいて、上記第２の記憶手段に記憶された印刷設定情報を更新するものであってもよい。
【００３１】
(15)上記記録装置の制御手段は、上記単表示モードにおいて、上記第２の入力手段に入力された画像処理を示す指令に基づいて、上記第２の記憶手段に記憶された画像データの画像処理を行い、画像処理後の画像データに基づく画像を上記表示手段に表示させるとともに該画像データを上記第２の記憶手段に記憶させるものであってもよい。
【００３２】
(16)上記記録装置の制御手段は、上記単表示モードにおいて、上記外部装置から画像データ及び印刷設定情報が転送される際に、該画像データ及び印刷設定情報を記憶可能な領域を上記第２の記憶手段が有するか否かを判断し、上記第２の記憶手段に該画像データ及び印刷設定情報を記憶可能な領域がないと判断した場合に、該外部装置に印刷無効を示す指令情報を送信するものであり、上記外部装置は、該印刷無効を示す指令情報を受信した後、待機状態に復帰するものであってもよい。
【００３３】
(17)上記記録装置の制御手段は、上記外部装置から転送された画像データ及び印刷設定情報に基づいて上記記録手段に画像記録を行わせ、該画像データ及び印刷設定情報を上記記憶手段に記憶させ、且つ該画像データに基づく画像を上記表示手段に表示させる印刷表示モードが設定されるものであってもよい。
【００３４】
外部装置を用いて撮影された像は、撮影手段により画像データに光電変換され、該画像データが第１の記憶手段に記憶される。外部装置には、第１の入力手段から印刷設定が入力される。外部装置と記録装置とは、各々の第１の通信手段及び第２の通信手段により、画像データ、印刷設定情報及び各種指令情報が通信可能に接続される。記録装置の制御手段には、印刷表示モードが設定され得る。印刷表示モードが設定された場合には、制御手段は、外部装置から転送された画像データ及び印刷設定情報に基づいて、記録手段に画像記録を行わせる。これにより、外部装置から転送された画像データに基づく画像が被記録媒体に記録される。画像記録が終了すれば、記録装置と外部装置とのデータ通信が終了する。また、制御手段は、外部装置から受信した画像データ及び印刷設定情報を第２の記憶手段に記憶させる。これにより、制御手段は、外部装置とのデータ通信が終了した後に、第２の記憶手段に記憶された画像データ及び印刷設定情報に基づいて、記録手段に画像記録を行わせることが可能になる。また、制御手段は、第２の記憶手段に記憶された画像データに基づく画像を表示手段に表示させる。これにより、使用者は、記録装置の表示手段により画像を確認することが可能になる。
【００３５】
(18)また、上記記録装置の制御手段は、上記印刷表示モード又は単表示モードにおいて、上記第２の入力手段に入力された印刷開始を示す指令を受けて、上記第２の記憶手段に記憶された画像データ及び印刷設定情報に基づいて上記記録手段に画像記録を行わせるものであってもよい。
【００３６】
これにより、使用者は、記録装置と外部装置との間でデータ通信が終了した後に、第２の記憶手段に記憶された画像データ及び印刷設定情報に基づいて、再び記録装置に画像記録を行わせることが可能になる。
【００３７】
(19)また、上記記録装置の制御手段は、上記印刷表示モード又は単表示モードにおいて、上記第２の入力手段に入力された印刷設定に基づいて、上記第２の記憶手段に記憶された印刷設定情報を更新するものであってもよい。
【００３８】
印刷表示モード又は単表示モードでは、記録装置の制御手段は、外部装置から転送された画像データ及び印刷設定情報を第２の記憶手段に記憶させる。使用者は、記録装置の第２の入力手段に所定の印刷設定を入力をすることにより、第２の記憶手段に記憶された印刷設定情報を更新することができる。更新後は、記録装置の制御手段は、更新された印刷設定情報に基づいて記録手段に画像記録を行わせる。これにより、使用者は、記録装置と外部装置との間でデータ通信が終了した後に、記録装置において印刷設定を変更して画像記録を行わせることが可能になる。
【００３９】
(20)また、上記記録装置の制御手段は、上記印刷表示モード又は単表示モードにおいて、上記第２の入力手段に入力された画像処理を示す指令に基づいて、上記第２の記憶手段に記憶された画像データの画像処理を行い、画像処理後の画像データに基づく画像を上記表示手段に表示させるとともに該画像データを上記第２の記憶手段に記憶させるものであってもよい。
【００４０】
印刷表示モード又は単表示モードでは、記録装置の制御手段は、外部装置から転送された画像データ及び印刷設定情報を第２の記憶手段に記憶させる。使用者は、記録装置の第２の入力手段に所望の画像処理の指令を入力をすることにより、第２の記憶手段に記憶された画像データに対して画像処理を行うことができる。記録装置の制御手段は、画像処理後の画像データに基づく画像を表示手段に表示させる。これにより、使用者は、画像処理後の画像を確認することができる。また、制御手段は、画像処理後の画像データを第２の記憶手段に記憶させる。制御手段は、画像処理された画像データに基づいて記録手段に画像記録を行わせる。これにより、使用者は、記録装置と外部装置との間でデータ通信が終了した後に、記録装置において、画像データに対して画像処理を施して画像記録を行わせることが可能になる。
【００４１】
(21)また、上記記録装置の制御手段は、上記印刷表示モード又は単表示モードにおいて、上記外部装置から画像データ及び印刷設定情報が転送される際に、該画像データ及び印刷設定情報を記憶可能な領域を上記第２の記憶手段が有するか否かを判断し、上記第２の記憶手段に該画像データ及び印刷設定情報を記憶可能な領域がないと判断した場合に、該外部装置に印刷無効を示す指令情報を送信するものであり、上記外部装置は、該印刷無効を示す指令情報を受信した後、待機状態に復帰するものであってもよい。
【００４２】
記録装置の第２の記憶手段には、画像データ及び印刷設定情報以外の各種データが記憶される。したがって、印刷表示モード又は単表示モードが設定されても、第２の記憶手段に、画像データ及び印刷設定情報を記憶するに十分な領域がないおそれがある。記録装置の制御手段は、外部装置から画像データ及び印刷設定情報が転送される際に、該画像データ及び印刷設定情報を記憶するに十分な領域を第２の記憶手段が有するか否かを判断する。第２の記憶手段に、画像データ及び印刷設定情報を記憶可能な領域がないと判断した場合に、制御手段は、外部装置に印刷無効を示す指令情報を送信する。印刷無効を示す指令情報を受信した外部装置は、印刷無効であることを示すエラー表示等を行う。これにより、使用者は、画像記録が行われる前に、現在の設定では、印刷表示モード又は単表示モードが使用できないことを認知することができる。その後、外部装置は、待機状態に復帰する。
【００４３】
(22)また、上記記録装置の制御手段は、上記外部装置から転送された画像データ及び印刷設定情報に基づいて上記記録手段に画像記録を行わせる単印刷モードが設定されるものであってもよい。
【００４４】
単印刷モードが設定されることにより、記録装置の表示手段に画像を表示させる必要がない場合に、画像データや印刷設定情報を第２の記憶手段に記憶させて保持することなく、記録装置に画像記録を行わせることができる。
【００４５】
(23)本発明は、ピクトブリッジ規格に基づいて画像データ、印刷設定情報及び各種指令情報を通信可能に接続されたデジタルカメラ機能を有する外部装置及び記録装置による通信方法であって、上記記録装置が、上記外部装置からピクトブリッジ規格に基づいて転送された画像データ及び印刷設定情報を記憶媒体に記憶させるステップと、上記記録装置が、記憶した画像データに基づく画像を画面に表示するステップと、上記記録装置が、上記画像データ及び印刷設定情報に基づいて画像記録を行わずに外部装置にピクトブリッジ規格による印刷終了情報を送信するステップと、上記外部装置が、ピクトブリッジ規格による印刷終了情報を受信して待機状態に復帰するステップと、を含むものである。
【００４６】
外部装置から記録装置へピクトブリッジ規格に基づいて画像データ及び印刷設定情報が転送される。記録装置は、外部装置からピクトブリッジ規格に基づいて転送された画像データ及び印刷設定情報に基づく画像記録を行うことなく、画像データ及び印刷設定情報を記憶媒体に記憶させる。これにより、記録装置は、記憶媒体に記憶された画像データ及び印刷設定情報に基づいて、画像記録を行うことが可能になる。記録装置は、記憶媒体に記憶された画像データに基づく画像を画面に表示する。これにより、使用者は、記録装置の画面により画像を確認することが可能になる。記録装置は、外部装置にピクトブリッジ規格による印刷終了情報を送信する。外部装置は、印刷終了情報を受けることにより、記録装置において画像記録が行われたか否かに拘わらず、ピクトブリッジ規格によるデータ通信を終了する。そして、外部装置は、待機状態に復帰する。使用者は、記録装置の記憶媒体に記憶された画像データ及び印刷設定情報に基づいて、画像記録や画像処理等を記録装置単独で行うことができる。これにより、記録装置は、ピクトブリッジ規格を用いて外部装置とデータ通信を行うことができるので、ピクトブリッジ規格を採用する外部装置に幅広く対応することができる。
【００４７】
(24)また、上記記録装置が、入力された印刷開始を示す指令を受けて、記憶媒体に記憶された画像データ及び印刷設定情報に基づいて画像記録を行うステップをさらに含むものであってもよい。
【００４８】
これにより、記録装置と外部装置との間でデータ通信が終了した後に、記憶媒体に記憶された画像データ及び印刷設定情報に基づいて、記録装置が画像記録を行うことができる。
【００４９】
(25)また、上記記録装置が、入力された印刷設定に基づいて、記憶媒体に記憶された印刷設定情報を更新するステップをさらに含むものであってもよい。
【００５０】
記録装置には、所定の印刷設定が入力され得る。記録装置は、入力された印刷設定に基づいて、記憶媒体に記憶された印刷設定情報を更新する。更新後は、記録装置は、更新された印刷設定情報に基づいて画像記録を行う。これにより、記録装置と外部装置との間でデータ通信が終了した後に、記録装置において印刷設定を変更して画像記録を行わせることができる。
【００５１】
(26)また、上記記録装置が、入力された画像処理を示す指令に基づいて、記憶媒体に記憶された画像データの画像処理を行うステップと、上記記録装置が、画像処理後の画像データに基づく画像を画面に表示させるステップと、をさらに含むものであってもよい。
【００５２】
記録装置には、所定の画像処理の指令が入力され得る。記録装置は、入力された指令に基づいて、記憶媒体に記憶された画像データに対して画像処理を行う。記録装置は、画像処理後の画像データに基づく画像を画面に表示する。これにより、使用者は、画像処理後の画像を確認することができる。
【００５３】
(27)また、上記記録装置が、上記外部装置から画像データ及び印刷設定情報が転送される際に、該画像データ及び印刷設定情報を記憶可能な領域を記憶媒体が有するか否かを判断するステップと、上記記録装置が、上記記憶媒体に該画像データ及び印刷設定情報を記憶可能な領域がないと判断した場合に、外部装置に印刷無効を示す指令情報を送信するステップと、上記外部装置が、印刷無効を示す指令情報を受信して待機状態に復帰するステップと、をさらに含むものであってもよい。
【００５４】
記録装置は、記憶媒体に、画像データ及び印刷設定情報以外の各種データを記憶させることがある。したがって、記憶媒体に、画像データ及び印刷設定情報を記憶するに十分な領域がないおそれがある。記録装置は、外部装置から画像データ及び印刷設定情報が転送される際に、該画像データ及び印刷設定情報を記憶するに十分な領域を記憶媒体が有するか否かを判断する。記録装置は、記憶媒体に、画像データ及び印刷設定情報を記憶可能な領域がないと判断した場合に、外部装置に印刷無効を示す指令情報を送信する。印刷無効を示す指令情報を受信した外部装置は、印刷無効であることを示すエラー表示等を行う。これにより、使用者は、画像記録が行われる前に、現在の設定では、印刷表示モード又は単表示モードが使用できないことを認知することができる。その後、外部装置は、待機状態に復帰する。
【発明の効果】
【００５５】
本発明に係る記録装置によれば、単表示モードが設定された場合に、制御手段が、外部装置からピクトブリッジ規格に基づいて転送された画像データ及び印刷設定情報に基づく画像記録を行うことなく、画像データ及び印刷設定情報を記憶手段に記憶させ、記憶手段に記憶された画像データに基づく画像を表示手段に表示させ、さらに、ピクトブリッジ規格による印刷終了情報を送信することとしたので、使用者は、記録装置の表示手段により画像を確認することができる。また、記憶手段に記憶された画像データに対して画像処理を行ったり、印刷設定を変更することができる。特に、記録装置の表示手段が外部装置の表示手段より大きい場合に、使用者が画像データを確認することが容易になるという利点がある。また、外部装置は、記録装置において画像記録が行われたか否かに拘わらずデータ通信を終了するので、記録装置が、ピクトブリッジ規格を採用する外部装置に幅広く対応することができる。
【００５６】
また、本発明に係る画像形成システムによれば、記録装置に単表示モードが設定された場合に、記録装置の制御手段が、外部装置からピクトブリッジ規格に基づいて転送された画像データ及び印刷設定情報に基づく画像記録を行うことなく、画像データ及び印刷設定情報を第２の記憶手段に記憶させ、第２の記憶手段に記憶された画像データに基づく画像を表示手段に表示させ、さらに、ピクトブリッジ規格による印刷終了情報を送信することとしたので、使用者は、記録装置の表示手段により画像を確認することができる。また、記録装置の第２の記憶手段に記憶された画像データに対して画像処理を行ったり、印刷設定を変更することができる。特に、記録装置の表示手段が外部装置の表示手段より大きい場合に、使用者が画像データを確認することが容易になるという利点がある。また、外部装置は、記録装置において画像記録が行われたか否かに拘わらずデータ通信を終了するので、記録装置が、ピクトブリッジ規格を採用する外部装置に幅広く対応することができる。
【００５７】
また、本発明に係る通信方法によれば、記録装置が、外部装置からピクトブリッジ規格に基づいて転送された画像データ及び印刷設定情報に基づく画像記録を行うことなく、画像データ及び印刷設定情報を記憶媒体に記憶させ、記憶媒体に記憶された画像データに基づく画像を画面に表示することとしたので、前述と同様の効果を得ることができる。また、記録装置から外部装置へピクトブリッジ規格による印刷終了情報が送信されることしたので、外部装置は、記録装置において画像記録が行われたか否かに拘わらず、ピクトブリッジ規格によるデータ通信を終了する。これにより、記録装置が、ピクトブリッジ規格を採用する外部装置に幅広く対応することができる。
【発明を実施するための最良の形態】
【００５８】
以下、適宜図面を参照して本発明の実施形態を説明する。
図１は、本実施の形態に係る画像形成システムの構成を示す外観図である。画像形成システム１は、デジタルカメラ２（外部装置）とプリンタ３（記録装置）とがＵＳＢケーブル４によりデータ通信可能に接続されたものである。デジタルカメラ２とプリンタ３との接続は、画像データ等の電気信号を通信可能に接続されるものであれば特に限定されない。したがって、ＵＳＢ接続の代えて、例えば、ＩＥＥＥ１３９４による接続を採用することができ、また、ＩＥＥＥ８０２．１１規格やBluetooth規格、ワイヤレスＵＳＢ等による無線接続を採用することもできる。
【００５９】
図１は、デジタルカメラ２の背面側を示している。デジタルカメラ２の正面側には、被写体の像をＣＣＤ（Charge Coupled Device）２０（撮影手段）に結像させるためのレンズ等を備えた光学ユニット２１が設けられている。デジタルカメラ２の上面には、被写体を撮影するタイミングで押下されるレリーズボタン２２が設けられている。デジタルカメラ２の背面には、撮影の際に用いられるファインダ２３、ＬＣＤ２４及び各種操作ボタン２５（第１の入力手段）が設けられている。
【００６０】
図２は、デジタルカメラ２の内部構成を示している。被写体の像は、光学ユニット２１によって撮像光としてＣＣＤ２０に結像される。撮像光は、ＣＣＤ２０によりアナログの画像データに光電変換される。アナログの画像データは、アナログ／デジタルコンバータ２６によりデジタルデータに変換され、該デジタルデータには、画像処理回路２７によりサンプリング処理やノイズ除去、圧縮等の画像処理が施される。
【００６１】
また、デジタルカメラ２は、デジタルカメラ２全体の動作を制御するためのＣＰＵ（Central Processing Unit）２８と、ＣＰＵ２８により実行される各種制御プログラムの作業領域等として用いられるＲＡＭ（Random Access Memory）２９と、画像データを記憶するためのスマートメディア（登録商標）やコンパクトフラッシュ（登録商標）等の記録メディア３１（第１の記憶手段）にアクセスするためのメディアコントローラ３０と、プリンタ等の外部機器とＵＳＢ規格によりデータ通信を行うためのＵＳＢスレーブチップ３１（第１の通信手段）とを備えている。
【００６２】
さらに、デジタルカメラ２は、オートフォーカス機能及び自動露出機能を制御するＡＦ・ＡＥ検出回路３３と、オートフォーカス時にレンズ等の光学ユニット２１を駆動するためのモータ駆動部３４とを備えている。
【００６３】
また、上記ＣＰＵ２８及びＲＡＭ２９は、バス３５を介してデータ通信可能に接続されており、さらに、ＬＣＤ２４、操作ボタン２５、画像処理回路２７、メディアコントローラ、ＵＳＢスレーブチップ３２、ＡＦ・ＡＥ検出回路３３もバス３５を介してデータ通信可能に接続されている。
【００６４】
このように構成されたデジタルカメラ２により、被写体の像が画像データとして記録メディア３１に記憶される。詳細に説明するに、使用者は、デジタルカメラ２の電源をオンにして、ファインダ２３又はＬＣＤ２４により被写体を視認して構図を決定する。そして、レリーズボタン２２を半押しされると、自動露出機能及びオートフォーカス機能が作動して、シャッタースピード及び絞りが決定されるとともに、レンズ等の光学ユニット２１が駆動されて被写体の像がＣＣＤ２０に結像されるように合焦される。さらに、レリーズボタン２２を押下されることにより、ＣＣＤ２０に結像された撮像光が光電変換されて撮影が行われる。
【００６５】
ＣＣＤ２０の光電変換により生成された画像データは、前述したようにデジタル化され、さらに画像処理が行われて記録メディア３１に記憶される。このようにして、デジタルカメラ２による撮影が行われる。なお、画像データは、記録メディア３１のほか、ＲＡＭ２９や内蔵メモリ等に記憶されていてもよい。
【００６６】
プリンタ３は、プリンタ機能、スキャナ機能、コピー機能及びファクシミリ機能を有する多機能装置（ＭＦＤ：Multi Function Device）である。プリンタ３は、デジタルカメラ２と接続される他、コンピュータと接続されて、該コンピュータから送信された画像データや文書データに基づいて、記録用紙（被記録媒体）に画像や文書を記録することができる。なお、プリンタ３の機能は特に限定されるものではなく、例えば、プリンタ機能以外の機能を有しない単機能のプリンタであってもよい。
【００６７】
図１に示すように、プリンタ３は、幅広薄型の概ね直方体の外形であり、装置の下部がプリンタ部５である。プリンタ部５は、正面に開口６が形成されており、該開口６から一部が露呈するようにして給紙トレイ４０及び排紙トレイ４１が上下２段に設けられている。給紙トレイ４０は、被記録媒体である記録用紙を貯蔵するためのものであり、Ａ４サイズ以下のＢ５サイズ、はがきサイズ等の各種サイズの記録用紙が収容可能である。また、給紙トレイ４０は、必要に応じてスライドトレイ４２を引き出すことによりトレイ面が拡大される。該給紙トレイ４０に収容された記録用紙がプリンタ部５の内部へ給送されて所望の画像が記録され、排紙トレイ４１へ排出される。
【００６８】
装置の上部はスキャナ部７であり、所謂フラットベッドスキャナとして構成されている。図１及び図３に示すように、プリンタ３の天板として開閉自在に設けられたスキャナカバー４３の下側に、プラテンガラス４４及びイメージセンサ４５が設けられている。プラテンガラス４４は画像読取りを行う原稿を載置するためのものである。該プラテンガラス４４の下方には、プリンタ３の奥行き方向を主走査方向とするイメージセンサ４５が設けられている。イメージセンサ４５は、走査キャリッジに搭載されており、キャリッジモータからの駆動力を受けてプリンタ３の幅方向に走査可能である。
【００６９】
プリンタ３の正面上部には、プリンタ部５やスキャナ部７を操作するための操作パネル８が設けられている。操作パネル８は各種操作キー９（第２の入力手段）やＬＣＤ１０（表示手段、画面）から構成されている。プリンタ３は、操作パネル８に入力された指令に基づいて動作し、また、コンピュータに接続されている場合には、該コンピュータからプリンタドライバ又はスキャナドライバを介して送信される指令に基づいても動作する。また、プリンタ３の正面の左上部には、各種記録メディアを装填可能なスロット部１１が設けられている。スロット部１１には、スマートメディアやコンパクトフラッシュ等の記録メディアが装填される。装填された記録メディアに記憶された画像データがプリンタ３に読み出され、画像データに基づく画像がプリンタ部５により記録用紙に記録される。
【００７０】
図３に示すように、プリンタ３の底側には、給紙トレイ４０が設けられている。給紙トレイ４０の装置背面側には、分離傾斜板４６が配設されている。分離傾斜版４６は、給紙トレイ４０に積載された記録用紙を分離して上方へ案内するものである。また、給紙トレイ４０から排紙トレイ４１へ、横向き略Ｕ字形状の搬送路４７が形成されている。詳細には、搬送路４７は、分離傾斜板４６から上方へ向かうように湾曲され、さらに装置正面側へ曲がって正面へ略水平に延出され、記録ヘッド４８（記録手段）による画像記録位置を通過して排紙トレイ４１へ通ずるように形成されている。したがって、給紙トレイ４０に収容された記録用紙は、搬送路４７により下方から上方へＵターンするように案内されて画像記録位置に至り、記録ヘッド４８により画像記録が行われた後、排紙トレイ４１に排出される。搬送路４７は、記録ヘッド４８等が配設されている箇所以外は、所定間隔で対向する外側ガイド面と内側ガイド面とから構成されている。
【００７１】
給紙トレイ４０の上側には、給紙ローラ４９が設けられている。給紙ローラ４９は、給紙トレイ４０に接離可能に上下動する給紙アーム５０の先端に軸支されている。給紙ローラ４９は、駆動源である搬送モータの駆動が駆動伝達機構により伝達されて回転する。給紙ローラ４９が回転することにより、給紙トレイ４０に積載された記録用紙が１枚ずつ分離して搬送路４７へ供給される。供給された記録用紙は、その前端が分離傾斜板４６に当接して上方へ案内され、搬送路４７へ送り込まれる。また、給紙ローラ４９によって最上位置の記録用紙が送り出される際に、その直下の記録用紙が摩擦や静電気の作用によって共に送り出される場合があるが、該記録用紙は分離傾斜板４６との当接によって制止される。
【００７２】
記録ヘッド４８は、走査キャリッジに搭載されて記録用紙の搬送方向と直交する方向へ往復移動するように構成されている。この記録ヘッド４８には、プリンタ３内に配置されたインクカートリッジからインクチューブを通じて、例えばシアン（Ｃ）・マゼンタ（Ｍ）・イエロー（Ｙ）・ブラック（Ｂｋ）の各色インクが供給される。記録ヘッド４８は、その下面に複数のノズルが形成されており、各ノズルから各インクを微小なインク滴として吐出する。吐出されたインク滴は、プラテン５１上の記録用紙に着弾する。
【００７３】
記録ヘッド４８の上流側には、搬送路４７を搬送されている記録用紙を狭持して、プラテン５１上へ搬送する一対の搬送ローラ５２が設けられている。一方、記録ヘッド４８の下流側には、記録済みの記録用紙を狭持して搬送する一対の排紙ローラ５３が設けられている。搬送ローラ５２及び排紙ローラ５３は、搬送モータから駆動力が伝達されて、所定の改行幅で間欠駆動する。この搬送ローラ５２及び排紙ローラ５３の駆動を受けて、記録用紙がプラテン５１上を所定の改行幅で搬送される。記録用紙が所定の改行幅で搬送される毎に、記録ヘッド４８がインク滴を吐出しながら往復移動される。これにより、プラテン５１上を搬送される記録用紙に画像記録が行われる。
【００７４】
図４は、プリンタ３の内部構成を示すブロック図である。プリンタ３の内部には、制御手段を構成する制御基板が設けられている。該制御基板は、ＣＰＵ５４、ＲＯＭ５５、ＲＡＭ５６（第２の記憶手段、記憶媒体）、不揮発性メモリ５７、ＡＳＩＣ（Application Specific Integrated Circuit）５８を具備する。
【００７５】
ＲＯＭ５５には、プリンタ３の各種動作を制御するための制御プログラム等が格納されている。ＲＡＭ５６は、ＣＰＵ５４が上記制御プログラム等を実行する際に用いる各種データを一時的に記録する記憶領域又は作業領域として使用される。また、ＲＡＭ５６は、プリンタ機能により印刷する画像データやＬＣＤ１０に表示するデータ等を一時的に記憶する記憶領域として使用される。これらＣＰＵ５４、ＲＯＭ５５及びＲＡＭ５６により、本発明に係る制御手段が実現される。また、ＲＡＭ５６により、本発明に係る第２の記憶手段が実現される。
【００７６】
不揮発性メモリ５７は、プリンタ３に関する各種設定データであって電源オフ後も保持すべきデータを記憶するものである。本実施の形態では、プリンタ３にデジタルカメラ２を接続した場合の印刷モード設定が不揮発性メモリ５７に記憶される。
【００７７】
ＡＳＩＣ５８は、ＣＰＵ５４からの指令に従い、ＬＦ（搬送）モータ５９に通電する相励磁信号等を生成して、該信号をＬＦモータドライバ６０に付与し、ＬＦモータドライバ６０を介して駆動信号をＬＦモータ５９に通電することにより、ＬＦモータ５９の回転制御を行っている。ＬＦモータ５９の駆動は搬送ローラ５２等に伝達される。
【００７８】
同様に、ＡＳＩＣ５８は、ＣＰＵ５４からの指令に従い、ＣＲ（キャリッジ）モータ６１に通電する相励磁信号等を生成して、該信号をＣＲモータドライバ６２に付与し、ＣＲモータドライバ６２を介して駆動信号をＣＲモータ６２に通電することにより、ＣＲモータ６２の回転制御を行っている。ＣＲモータ６２の駆動は記録ヘッド４８を搭載した走査キャリッジに伝達される。
【００７９】
同様に、ＡＳＩＣ５８は、ＣＰＵ５４からの指令に従い、読取ＦＢ（フラットベッド）モータ６３に通電する相励磁信号等を生成して、該信号を読取りＦＢモータドライバ６４に付与し、読取ＦＢモータドライバ６４を介して駆動信号を読取ＦＢモータ６３に通電することにより、読取ＦＢモータ６３の回転制御を行っている。読取ＦＢモータ６３の駆動はイメージセンサ（ＣＩＳ）４５を搭載したキャリッジに伝達される。
【００８０】
また、ＡＳＩＣ５８は、ＣＰＵ５４からの指令に従い、イメージセンサ４５に所定のタイミングで光を照射させるとともに、イメージセンサ４５から所定のタイミングで読取りデータを出力させる。また、ＡＳＩＣ５８は、ＣＰＵ５４からの指令に従い、記録ヘッド４８から所定のタイミングでインク滴を記録用紙に対して選択的に吐出させる。
【００８１】
また、ＡＳＩＣ５８には、プリンタ３に所望の指令を入力する操作キー９を制御するパネルゲートアレイ６５、ＬＣＤ１０の画面表示を制御するＬＣＤコントローラ６６、各種小型メモリカードが挿入されるスロット部１１、コンピュータとＵＳＢケーブルを介してデータ通信を行うためのＵＳＢスレーブチップ６７、デジタルカメラ２とデータ通信を行うためのＵＳＢホストチップ６８（第２の通信手段）、ファクシミリ機能を実現するためのモデム６９及びＮＣＵ（Network Control Unit）７０が接続されている。
【００８２】
以下、本画像形成システム１により、デジタルカメラ２に記憶された画像データに基づいて、プリンタ３により記録用紙に画像記録を行う動作について説明する。
【００８３】
前述したように、デジタルカメラ２を用いて撮影された画像の画像データは、デジタルカメラ２の記録メディア３１に記憶される。デジタルカメラ２とプリンタ３とは、各々のＵＳＢスレーブチップ３２とＵＳＢホストチップ６８とを介してＵＳＢケーブル４により接続されて、デジタルカメラ２からプリンタ３へ画像データ、印刷設定情報及び各種指令情報が転送可能になる。デジタルカメラ２とプリンタ３とのデータ通信は、所定の通信規格に基づいている。例えば、ピクトブリッジと呼ばれる通信規格を、デジタルカメラ２とプリンタ３とのデータ通信に用いることができる。デジタルカメラ２とプリンタ３とがＵＳＢケーブル４により接続されると、デジタルカメラ２とプリンタ３とは、所定の通信規格によりデータ通信を行うためのプログラムを実行する。そして、デジタルカメラ２及びプリンタ３は、互いの状態を検出してネゴシエーションを行う。ネゴシエーションとは、デジタルカメラ２及びプリンタ３の機種情報等を得ることであり、これにより、例えばデジタルカメラ２における印刷設定において選択可能な情報等が得られる。
【００８４】
プリンタ３には、予め印刷モード設定が設定される。印刷モード設定は、使用者がプリンタ３の操作キー９を操作して所定の入力を行うことにより設定される。図５は、プリンタ３における印刷モード設定の手順を示すフローチャートである。プリンタ３にデジタルカメラ２が接続されると、プリンタ３は、不揮発性メモリ５７に記憶された設定モードを読み出す（Ｓ１）。そして、読み出された設定モードがＬＣＤ１０に表示される（Ｓ２）。デジタルカメラ２の接続は、プリンタ３のＣＰＵ５４が制御プログラムに基づいて、ＵＳＢホストチップ６８とにＵＳＢケーブル４を介してデジタルカメラ２が接続されたか否かを検出することにより判断される。
【００８５】
プリンタ３は、設定モードをＬＣＤ１０に表示した後、所定時間内に操作キー９の入力がなければ（Ｓ３（Ｎ））、タイムアウト（Ｓ４（Ｙ））として印刷モード設定を終了する。一方、所定時間内に操作キー９の入力があり（Ｓ３（Ｙ））、その操作キー９による指令が印刷モード設定の変更であれば（Ｓ５（Ｙ））、新たな印刷モードが設定される。
【００８６】
印刷モードは、単印刷モード、印刷表示モード及び単表示モードの３種類からいずれか１つが選択される。操作キー９による入力が単印刷モードを示すものであれば（Ｓ６（Ｙ））、単印刷モードが新たな印刷モードとなり（Ｓ７）、単印刷モードが不揮発性メモリ５７に書き込まれる（Ｓ１１）。操作キー９による入力が印刷表示モードを示すものであれば（Ｓ８（Ｙ））、印刷表示モードが新たな印刷モードとなり（Ｓ９）、印刷表示モードが不揮発性メモリ５７に書き込まれる（Ｓ１１）。それ以外の場合は（Ｓ８（Ｎ））、単表示モードが新たな印刷モードとなり（Ｓ１０）、単表示モードが不揮発性メモリ５７に書き込まれる（Ｓ１１）
【００８７】
デジタルカメラ２は、プリンタ３と接続されることによりダイレクトプリントモードになる。このダイレクトプリントモードは、デジタルカメラ２のＣＰＵ２８がプリンタ３との接続を検出することにより自動的に設定されるものであっても、使用者が操作ボタン２５を操作することにより設定されるものであってもよい。前述したように、プリンタ３における印刷モードの設定が完了すると、デジタルカメラ２において記録メディア３１に記憶された画像データが選択可能になる。
【００８８】
使用者は、デジタルカメラ２の操作ボタン２５を操作して、記録メディア３１に記憶された画像データに基づく画像をＬＣＤ２４に表示させる。そして、任意の画像を選択してＬＣＤ２４に表示させ、操作ボタン２５を操作して選択完了を入力する。これにより、プリントすべき画像が決定される。デジタルカメラ２のＬＣＤ２４には、接続されているプリンタ３において選択可能な記録用紙サイズ、記録用紙タイプ、縁なし設定、記録部数等が設定可能に表示される。記録用紙サイズとは、Ａ４サイズやＬ版等の記録用紙の大きさである。記録用紙タイプとは、普通紙や光沢紙等の記録用紙の種類である。縁なし設定とは、記録用紙の縁まで画像記録を行う所謂縁なし印刷を設定するためのものであり、プリンタ３において縁なし印刷が可能な場合に設定される。記録部数は、画像記録を行う枚数である。これらが本発明において印刷設定と称される。なお、これらは印刷設定の例示であり、本発明における印刷設定がこれらに限定されないことは当然である。また、デジタルカメラ２における印刷設定は、必ずしも任意選択可能である必要はない。例えば、簡易モードとして光沢紙のＬ版に縁なし印刷することが予め定められており、この簡易モードと印刷設定を任意選択可能なモードとをデジタルカメラ２が有していてもよい。
【００８９】
つづいて、使用者は、デジタルカメラ２の操作ボタン２５を操作して、印刷開始を入力する。これにより、所定の通信規格による印刷開始情報がデジタルカメラ２からプリンタ３へ送信される。印刷開始情報を受信したプリンタ３は、選択された画像データ及び入力された印刷設定情報をデジタルカメラ２へ要求する。そして、選択された画像データ及び入力された印刷設定情報が、デジタルカメラ２からプリンタ３へＵＳＢケーブル４を通じて転送される。なお、本実施の形態では、プリンタ３からデジタルカメラ２へ画像データ及び印刷設定情報を要求し、その要求に基づいて画像データ及び印刷設定情報が転送されることとしたが、画像データ及び印刷設定情報の転送コマンドをデジタルカメラ２又はプリンタ３のいずれが生成するかは、所定の通信規格に基づいて任意に定められるものである。したがって、例えば、デジタルカメラ２に入力された印刷開始に基づいてデジタルカメラ２が転送コマンドを生成し、該転送コマンドに基づいてデジタルカメラ２からプリンタ３へ画像データ及び印刷設定情報が転送されることとしてもよい。
【００９０】
図６は、デジタルカメラ２から画像データ及び印刷設定情報が転送されたプリンタ３の動作を示すフローチャートである。デジタルカメラ２からプリンタ３へ印刷設定情報が転送され（Ｓ２１（Ｙ），Ｓ２２（Ｎ））、プリンタ３は、その印刷設定情報をＲＡＭ５６に記憶させる（Ｓ２４）。つづいて、プリンタ３は、デジタルカメラ２から画像データが転送されると（Ｓ２２（Ｙ））、不揮発性メモリ５７に記憶された印刷モードを読み出す（Ｓ２３）。
【００９１】
プリンタ３は、印刷モードを読み出した後、読み出された印刷モードに対応する空き領域をＲＡＭ５６が有するか否かを判断する（Ｓ２５）。プリンタ３のＲＡＭ５６は、画像データ及び印刷設定情報を記憶する他、ファクシミリデータの記憶や留守番録音データの記憶等の各種データの記憶、及びデータを一時記憶するバッファとして用いられる。例えば、画像データに基づく画像記録には、画像データを解凍するためのバッファ領域（デジタルカメラデータバッファ）、印刷を行うためのバッファ領域（記録バッファ）が必要である。また、印刷表示モードや単表示モードでは、画像データに基づく画像をＬＣＤ１０に表示するためのバッファ領域（表示用バッファ）や、画像を拡大又は縮小して表示するためのバッファ領域（ＬＣＤ表示バッファ）が必要である。したがって、例えば、印刷表示モードや単表示モードが設定されても、ＲＡＭ５６に画像データ及び印刷設定情報を記憶するに十分な領域がないおそれがある。
【００９２】
プリンタ３は、画像データ及び印刷設定情報を記憶可能な領域、さらには各処理のためのバッファ領域がＲＡＭ５６にないと判断した場合は（Ｓ２５（Ｎ））、プリンタ３のＬＣＤ１０に、印刷モードを変更するように案内表示をするとともに（Ｓ２６）、デジタルカメラ２に印刷無効を示す指令情報を送信する（Ｓ２７）。デジタルカメラ２は、印刷無効を示す指令情報を受信することにより、プリンタ３とのデータ通信を終了する。そして、デジタルカメラ２は、画像選択及び印刷設定が可能な待機状態に復帰する。使用者は、ＬＣＤ１０の表示により、画像記録が行われる前に、現在の印刷モードでは画像記録が行えないことを認知することができる。
【００９３】
プリンタ３は、画像データ及び印刷設定情報を記憶可能な領域、さらには各処理のためのバッファ領域がＲＡＭ５６にあると判断した場合は（Ｓ２５（Ｙ））、プリンタ３に設定された印刷モードを判断して（Ｓ２８，Ｓ２９）、単印刷処理（Ｓ２９）、印刷表示処理（Ｓ３１）又は単表示処理（Ｓ３２）のいずれかを実行する。
【００９４】
以下、図７を用いて単印刷処理について説明する。単印刷処理は、印刷モードとして単印刷モードが設定されている場合に行われる処理である。
【００９５】
プリンタ３は、デジタルカメラ２から転送された画像データに含まれるブロック識別子を受信したか否かを判断する（Ｓ４１）。ブロック識別子は、所定のブロック単位で圧縮された画像データの単位ブロックを識別するためのヘッダ等である。また、プリンタ３は、デジタルカメラ２から転送された画像データに含まれるデータ終了コードを受信したか否かを判断する（Ｓ５１）。データ終了コードは、一つの画像データの区切りを示す所定の信号であり、ブロック識別子と同様に画像データのブロックデータのヘッダ等に付与される。ブロック識別子を受信せず（Ｓ４１（Ｎ））、データ終了コードを受信しない場合は（Ｓ５１（Ｎ））、プリンタ３は、デジタルカメラ２から転送された画像データをデジタルカメラデータバッファに記憶させる（Ｓ６２）。このデジタルカメラデータバッファとして、ＲＡＭ５６の所定領域が用いられる。
【００９６】
ブロック識別子を受信すると（Ｓ４１（Ｙ））、プリンタ３は、それまでにデジタルカメラデータバッファに記憶させた画像データを解凍する（Ｓ４２）。解凍とは、ｊｐｅｇ等の所定形式に圧縮されたデータを復元することである。解凍のために必要なプログラムは、ＲＯＭ５５に格納されており、その解凍プログラムに基づいてＣＰＵ５４が解凍処理を行う。そして、解凍が完了すれば（Ｓ４３（Ｙ））、解凍されたデータを記録バッファにコピーする（Ｓ４４）。この記録バッファとして、ＲＡＭ５６の所定領域が用いられる。解凍されたデータが記録バッファにコピーされれば、デジタルカメラデータバッファに格納された圧縮データが消去される（Ｓ４５）。
【００９７】
つづいて、プリンタ３は、解凍されたデータによるライン数が所定ラインであるか否かを判断する（Ｓ４６）。ラインとは、プリンタ３の記録ヘッド４８が往復動される主走査ラインである。所定のライン数は、副走査方向に複数のノズルが列設された記録ヘッド４８により、インターレース走査が行われて画像記録される一単位に基づいて設定される。解凍されたデータが所定ライン数に満たない場合は（Ｓ４６（Ｎ））、プリンタ３は、さらにデジタルカメラ２からの画像データの転送を継続する。一方、解凍されたデータが所定ライン数であれば（Ｓ４６（Ｙ））、記録バッファに記憶されたデータを記録ヘッド４８により印刷するためにインターレース処理を行い（Ｓ４７）、記録ヘッド４８を走査させて記録用紙に所定ライン数分の印刷を行う（Ｓ４８）。なお、記録用紙は、デジタルカメラ２から転送されてＲＡＭ５６に記憶された印刷設定情報に基づいて、所定サイズ及び所定紙種のものが用いられる。
【００９８】
所定ライン数分の印刷が終了すれば（Ｓ４９（Ｙ））、プリンタ３は、記録バッファに記憶されたデータを消去して（Ｓ５０）、さらにデジタルカメラ２から画像データの転送を継続する。これが、デジタルカメラ２から転送された画像データのデータ終了コードを受信するまで繰り返され、記録ヘッド４８により所定ライン数分毎に記録用紙に印刷が行われる。
【００９９】
プリンタ３がデータ終了コードを受信すると（Ｓ５１（Ｙ））、前述と同様に、デジタルカメラデータバッファに記憶させた画像データを解凍する（Ｓ５２）。そして、解凍が完了すれば（Ｓ５３（Ｙ））、解凍されたデータを記録バッファにコピーする（Ｓ５４）。解凍されたデータが記録バッファにコピーされれば、デジタルカメラデータバッファに格納された圧縮データが消去される（Ｓ５５）。
【０１００】
つづいて、プリンタ３は、記録バッファに記憶されたデータを記録ヘッド４８により印刷するためにインターレース処理を行い（Ｓ５７）、さらに、該データのページエンド処理を行う（Ｓ５７）。例えば、記録用紙に縁なし印刷を行う場合に、記録用紙の後端には記録ヘッド４８の全ノズルを用いてインタレース走査をしながら印刷を行うことができない。したがって、記録用紙の後端に対しては、通常のインターレース走査とは異なる走査により印刷を行うことになる。記録用紙の後端へ印刷するために記録ヘッド４８に所定のインク吐出を行われるためのデータ処理を、ページエンド処理という。データのインタレース処理及びページエンド処理を終えた後、記録ヘッド４８を走査させて記録用紙への印刷を行う（Ｓ５８）。そして、印刷が終了すれば（Ｓ５９（Ｙ））、プリンタ３は、記録バッファに記憶されたデータを消去して（Ｓ６０）、デジタルカメラ２へ印刷終了を示す印刷終了情報を送信する（Ｓ６１）。この印刷終了情報は、デジタルカメラ２とプリンタ３とのデータ通信において用いられる所定の通信規格によるものである。なお、印刷部数として複数枚が設定されている場合には、プリンタ３により複数部の印刷が行われる。印刷終了情報を受信したデジタルカメラ２は、プリンタ３へ肯定応答を送信して、プリンタ３とのデータ通信を終了する。そして、デジタルカメラ２は、画像選択及び印刷設定が可能な待機状態に復帰する。したがって、使用者は、次に印刷を行う画像をデジタルカメラ２で選択して、印刷開始の入力を行うことができる。
【０１０１】
このように、プリンタ３に単印刷モードが設定されることにより、プリンタ３のＬＣＤ１０に画像を表示させる必要がない場合に、画像データや印刷設定情報をＲＡＭ５６に記憶させて保持させることなく、プリンタ３に画像記録（印刷）を行わせることができる。
【０１０２】
以下、図８を用いて印刷表示処理について説明する。印刷表示処理は、印刷モードとして印刷表示モードが設定されている場合に行われる処理である。印刷表示処理では、デジタルカメラ２から転送された画像データ及び印刷設定情報に基づく画像記録（印刷）が行われた後、該画像データ及び印刷設定情報がＲＡＭ５６に記憶されて保持され、その画像データがプリンタ３のＬＣＤ１０に表示される。
【０１０３】
詳細に説明するに、プリンタ３は、デジタルカメラ２から転送された画像データに含まれるブロック識別子を受信したか否かを判断する（Ｓ７１）。また、プリンタ３は、デジタルカメラ２から転送された画像データに含まれるデータ終了コードを受信したか否かを判断する（Ｓ８１）。ブロック識別子を受信せず（Ｓ７１（Ｎ））、データ終了コードを受信しない場合は（Ｓ８１（Ｎ））、プリンタ３は、デジタルカメラ２から転送された画像データをデジタルカメラデータバッファに記憶させる（Ｓ９３）。
【０１０４】
ブロック識別子を受信すると（Ｓ７１（Ｙ））、プリンタ３は、それまでにデジタルカメラデータバッファに記憶させた画像データを解凍する（Ｓ７２）。そして、解凍が完了すれば（Ｓ７３（Ｙ））、解凍されたデータを記録バッファ及び表示用バッファにコピーする（Ｓ７４）。この表示用バッファとして、ＲＡＭ５６の所定領域が用いられる。解凍されたデータが記録バッファ及び表示用バッファにコピーされれば、デジタルカメラデータバッファに格納された圧縮データが消去される（Ｓ７５）。
【０１０５】
つづいて、プリンタ３は、解凍されたデータによるライン数が所定ラインであるか否かを判断する（Ｓ７６）。解凍されたデータが所定ライン数に満たない場合は（Ｓ７６（Ｎ））、プリンタ３は、さらにデジタルカメラ２から画像データの転送を継続する。一方、解凍されたデータが所定ライン数であれば（Ｓ７６（Ｙ））、記録バッファに記憶されたデータを記録ヘッド４８により印刷するためにインターレース処理を行い（Ｓ７７）、記録ヘッド４８を走査させて記録用紙に所定ライン数分の印刷を行う（Ｓ７８）。所定ライン数分の印刷が終了すれば（Ｓ７９（Ｙ））、プリンタ３は、記録バッファに記憶されたデータを消去して（Ｓ８０）、さらにデジタルカメラ２から画像データの転送を継続する。これが、デジタルカメラ２から転送された画像データのデータ終了コードを受信するまで繰り返され、記録ヘッド４８により所定ライン数分毎に記録用紙に印刷が行われる。
【０１０６】
プリンタ３がデータ終了コードを受信すると（Ｓ８１（Ｙ））、前述と同様に、デジタルカメラデータバッファに記憶させた画像データを解凍する（Ｓ８２）。そして、解凍が完了すれば（Ｓ８３（Ｙ））、解凍されたデータを記録バッファ及び表示用バッファにコピーする（Ｓ８４）。解凍されたデータが記録バッファにコピーされれば、デジタルカメラデータバッファに格納された圧縮データが消去される（Ｓ８５）。
【０１０７】
つづいて、プリンタ３は、記録バッファに記憶されたデータを記録ヘッド４８により印刷するためにインターレース処理を行い（Ｓ８７）、さらに、該データのページエンド処理を行う（Ｓ８７）。データのインタレース処理及びページエンド処理を終えた後、記録ヘッド４８を走査させて記録用紙への印刷を行う（Ｓ８８）。そして、印刷が終了すれば（Ｓ８９（Ｙ））、プリンタ３は、記録バッファに記憶されたデータを消去して（Ｓ９０）、デジタルカメラ２へ印刷終了を示す印刷終了情報を送信する（Ｓ９１）。印刷終了情報を受信したデジタルカメラ２は、プリンタ３へ肯定応答を送信して、プリンタ３とのデータ通信を終了する。そして、デジタルカメラ２は、画像選択及び印刷設定が可能な待機状態に復帰する。したがって、使用者は、次に印刷を行う画像をデジタルカメラ２で選択して、印刷開始の入力を行うことができる。また、表示バッファにコピーされたデータは消去されずに保持される。したがって、プリンタ３は、表示用バッファに記憶されたデータに基づいてデジタルカメラデータ表示処理を行う（Ｓ９２）。
【０１０８】
以下、図９を用いてデジタルカメラデータ表示処理について説明する。前述したように、印刷表示処理においては、プリンタ３は、デジタルカメラ２から転送された画像データ及び印刷設定情報に基づいて記録用紙に画像を印刷した後、デジタルカメラ２に印刷終了情報を送信しており、デジタルカメラ２は待機状態に復帰している。したがって、プリンタ３がデジタルカメラデータ表示処理を行う際に、デジタルカメラ２において画像選択等の操作を行うことが可能である。換言すれば、デジタルカメラデータ表示処理において、プリンタ３はデジタルカメラ２とデータ通信を行わなくてよい。
【０１０９】
詳細に説明するに、プリンタ３は、表示用バッファに記憶されたデータから縦横の画素数を得る（Ｓ１２１）。前述したように、表示用バッファには、デジタルカメラ２から転送された任意の画像データが解凍されて記憶されている。この画像データは、所定の解像度を有し、縦横に対して所定の画素数を有する。そして、プリンタ３は、表示用バッファに記憶されたデータを拡大又は縮小して、ＬＣＤ表示バッファにコピーする（Ｓ１２２）。このＬＣＤ表示用バッファとして、ＲＡＭ５６の所定領域が用いられる。プリンタ３のＬＣＤ１０は、所定の解像度で画像を表示できる。つまり縦横が所定の画素数で構成されている。また、ＬＣＤ１０には画像以外に印刷設定も表示され得るので、画像が表示される領域はＬＣＤ１０の表示領域の一部になる。このＬＣＤ１０の画像表示領域に、表示用バッファに記憶された画像データに基づく画像の全体を表示するために、該画像の画素数がＬＣＤ１０の画像表示領域の画素数より多い場合には、画像表示領域の画素数に合致するようにデータが縮小され、該画像の画素数がＬＣＤ１０の画像表示領域の画素数より少ない場合には、画像表示領域の画素数に合致するようにデータが拡大される。
【０１１０】
そして、ＬＣＤ表示バッファに記憶されたデータに基づいて、デジタルカメラ２から転送された画像データ及び印刷設定情報に基づく画像及び印刷設定がプリンタ３のＬＣＤ１０に表示される（Ｓ１２３）。これにより、使用者は、デジタルカメラ２とプリンタ３とのデータ通信が終わった後に、プリンタ３のＬＣＤ１０により画像及び印刷設定を確認することが可能になる。デジタルカメラ２の小型化によりＬＣＤ２４の大きさには限界があるのに対し、プリンタ３のＬＣＤ１０は大型化の余地が大きいので、使用者は、プリンタ３の大型のＬＣＤ１０により画像の詳細を容易に確認することができる。
【０１１１】
プリンタ３がＬＣＤ１０に画像及び印刷設定を表示した後、使用者が、所定時間内にプリンタ３の操作キー９に何ら入力を行わない場合は（Ｓ１２４（Ｎ））、タイムアウトとして（Ｓ１３３（Ｙ））、表示用バッファ及びＬＣＤ表示バッファに記憶されたデータが消去され（Ｓ１３２）、ＬＣＤ１０の表示も消去される。
【０１１２】
プリンタ３がＬＣＤ１０に画像及び印刷設定を表示した後、使用者は、プリンタ３に印刷開始、印刷設定の変更又は画像表示変更を入力できる。使用者は、例えば、既に記録用紙に印刷された画像を確認し、さらにプリンタ３のＬＣＤ１０に表示された画像を確認して、印刷設定を変更したり、画像処理を行うことができる。換言すれば、先に記録用紙に試し印刷してから、所望のサイズや紙種に本印刷を行ったり、画像の明暗やコントラストの変更、トリミングを行うことができる。
【０１１３】
使用者が、プリンタ３の操作キー９を操作して新たに印刷設定を入力した場合には（Ｓ１２７（Ｙ））、プリンタ３は、入力された印刷設定に基づいて、ＲＡＭ５６に記憶された印刷設定情報を更新する（Ｓ１２８）。そして、プリンタ３は、更新された印刷設定をＬＣＤ１０に表示する（Ｓ１２８）。これにより、デジタルカメラ２とプリンタ３とのデータ通信が終了した後、既に記録用紙に印刷された画像やＬＣＤ１０に表示された画像を確認してから、プリンタ３において、記録用紙のサイズや紙種、縁なし印刷、記録部数等の印刷設定を行うことができる。
【０１１４】
使用者が、プリンタ３の操作キー９を操作して画像処理を入力した場合には（Ｓ１２９（Ｙ））、プリンタ３は、その入力に基づいて表示用バッファに記憶されたデータに対して画像処理を行う。画像処理とは、画像データに基づく画像の明暗の設定やコントラスト設定のような画質調整、トリミングやアンシャープマスクのような加工処理等に例示されるものである。画像処理は、ＲＯＭ５５に格納された画像処理プログラムに基づいてＣＰＵ５４により実行される。そして、プリンタ３は、画像処理後の画像をＬＣＤ１０に表示するとともに、表示用バッファに画像処理された画像データを記憶させる（Ｓ１３０）。これにより、デジタルカメラ２とプリンタ３とのデータ通信が終了した後、既に記録用紙に印刷された画像やＬＣＤ１０に表示された画像を確認して、プリンタ３において該画像に所望の画像処理を施すことができる。また、画像処理後の画像をプリンタ３のＬＣＤ１０により確認することができる。なお、印刷設定や画像処理の入力においてストップキーが押下された場合には（Ｓ１３１（Ｙ））、プリンタ３は、印刷設定の変更又は画像処理を中止して、表示用バッファ及びＬＣＤ表示バッファに記憶されたデータを消去し（Ｓ１３２）、ＬＣＤ１０の表示も消去する。
【０１１５】
使用者が、プリンタ３のＬＣＤ１０の表示を確認してから、又は印刷設定の変更や所望の画像処理を行ってからＬＣＤ１０の表示を確認してから、スタートキーを押下すれば（Ｓ１２５）、プリンタ３は、デジタルカメラデータ表示後印刷処理を行う（Ｓ１２６）。これにより、デジタルカメラ２とプリンタ３とのデータ送信が終了した後、プリンタ３において変更された印刷設定に基づいて、又は画像処理された画像の印刷を行うことができる。
【０１１６】
詳細には、図１０に示すように、プリンタ３は、表示用バッファに記憶された画像データのライン数をＸとして（Ｓ１４１）、該ライン数Ｘが所定のライン数以上であれば（Ｓ１４２（Ｙ））、該所定ライン数を表示用バッファに記憶された画像データのライン数Ｘから差し引いた後（Ｓ１４３）、所定ライン数分を記録バッファにコピーする（Ｓ１４４）。この所定ライン数は、前述と同様に、副走査方向に複数のノズルが列設された記録ヘッド４８により、インターレース走査が行われて画像記録される一単位に基づいて設定される。
【０１１７】
そして、プリンタ３は、記録バッファに記憶されたデータを記録ヘッド４８により印刷するためにインターレース処理を行い（Ｓ１４５）、記録ヘッド４８を走査させて記録用紙に所定ライン数分の印刷を行う（Ｓ１４６）。なお、記録用紙は、プリンタ３において印刷設定が変更されている場合には、ＲＡＭ５６に記憶された変更された印刷設定情報に基づいて、所定サイズ及び所定紙種のものが用いられる。
【０１１８】
所定ライン数分の印刷が終了すれば（Ｓ１４７（Ｙ））、プリンタ３は、記録バッファに記憶されたデータを消去して（Ｓ１４８）、さらに表示用バッファの画像データが所定ライン数以上であるか否かを判断する（Ｓ１４２）。所定ライン数以上であれば、前述とと同様の処理が繰り返され、記録ヘッド４８により所定ライン数分毎に記録用紙に印刷が行われる。
【０１１９】
表示用バッファの画像データが所定ライン数以下であれば（Ｓ１４２（Ｎ））、プリンタ３は、残りのＸライン分の画像データを記録バッファにコピーし（Ｓ１４９）、該記録バッファに記憶されたデータを記録ヘッド４８により印刷するためにインターレース処理を行い（Ｓ１４５）、さらに、該データのページエンド処理を行う（Ｓ１５２）。そして、データのインタレース処理及びページエンド処理を終えた後、記録ヘッド４８を走査させて記録用紙への印刷を行う（Ｓ１５３）。そして、印刷が終了すれば（Ｓ１５３（Ｙ））、プリンタ３は、記録バッファに記憶されたデータを消去する（Ｓ１５４）。これにより、使用者は、デジタルカメラ２とプリンタ３とのデータ通信が終了した後に、プリンタ３において、印刷設定を変更したり、画像データに対して画像処理を施して画像記録（印刷）を行うことが可能になる。
【０１２０】
以下、図１１を用いて単表示処理について説明する。単表示処理は、印刷モードとして単表示モードが設定されている場合に行われる処理である。単表示処理では、デジタルカメラ２から転送された画像データ及び印刷設定情報に基づく画像記録（印刷）が行われることなく、その画像データがプリンタ３のＬＣＤ１０に表示される。
【０１２１】
詳細に説明するに、プリンタ３は、デジタルカメラ２から転送された画像データに含まれるブロック識別子を受信したか否かを判断する（Ｓ１０１）。また、プリンタ３は、デジタルカメラ２から転送された画像データに含まれるデータ終了コードを受信したか否かを判断する（Ｓ１０６）。ブロック識別子を受信せず（Ｓ１０１（Ｎ））、データ終了コードを受信しない場合は（Ｓ１０６（Ｎ））、プリンタ３は、デジタルカメラ２から転送された画像データをデジタルカメラデータバッファに記憶させる（Ｓ１１３）。
【０１２２】
ブロック識別子を受信すると（Ｓ１０１（Ｙ））、プリンタ３は、それまでにデジタルカメラデータバッファに記憶させた画像データを解凍する（Ｓ１０２）。そして、解凍が完了すれば（Ｓ１０３（Ｙ））、解凍されたデータを表示用バッファにコピーする（Ｓ１０４）。解凍されたデータが表示用バッファにコピーされれば、デジタルカメラデータバッファに格納された圧縮データが消去される（Ｓ１０５）。
【０１２３】
プリンタ３がデータ終了コードを受信すると（Ｓ１０６（Ｙ））、前述と同様に、デジタルカメラデータバッファに記憶させた画像データを解凍する（Ｓ１０７）。そして、解凍が完了すれば（Ｓ１０８（Ｙ））、解凍されたデータを表示用バッファにコピーする（Ｓ１０９）。解凍されたデータが記録バッファにコピーされれば、デジタルカメラデータバッファに格納された圧縮データが消去される（Ｓ１１０）。
【０１２４】
そして、プリンタ３は、デジタルカメラ２へ印刷終了を示す印刷終了情報を送信する（Ｓ１１１）。印刷終了情報を受信したデジタルカメラ２は、プリンタ３へ肯定応答を送信して、プリンタ３とのデータ通信を終了する。そして、デジタルカメラ２は、画像選択及び印刷設定が可能な待機状態に復帰する。したがって、使用者は、次に印刷を行う画像をデジタルカメラ２で選択して、印刷開始の入力を行うことができる。また、プリンタ３は、表示用バッファに記憶されたデータに基づいてデジタルカメラデータ表示処理を行う（Ｓ１１２）。
【０１２５】
デジタルカメラデータ表示処理は、印刷表示処理において図９を用いて説明されたものと同様である。単表示処理においては、プリンタ３は、デジタルカメラ２から転送された画像データ及び印刷設定情報に基づいて、画像及び印刷設定をプリンタ３のＬＣＤ１０に表示し、記録用紙に画像を印刷することなく、デジタルカメラ２に印刷終了情報を送信する。印刷終了情報を受信したデジタルカメラ２は、記録用紙に印刷が行われる単印刷モードや印刷表示モードと同様に、待機状態に復帰する。したがって、プリンタ３がデジタルカメラデータ表示処理を行う際に、デジタルカメラ２において画像選択等の操作を行うことが可能である。
【０１２６】
また、単表示モードにおいて、デジタルカメラ２は、プリンタ３において画像記録（印刷）が行われたか否かに拘わらず待機状態に復帰できる。換言すれば、デジタルカメラ２が、プリンタ３にダイレクトプリントを行うための所定の通信規格に基づくデータ通信を行うものであっても、プリンタ３において画像記録を行うことなく、所定の通信規格によるデータ通信を適式に終了させることができる。これにより、プリンタ３は、単表示モードにおいても、規格化された通信方式を用いてデジタルカメラ２とデータ通信を行うことができるので、規格化された通信方式を採用するデジタルカメラ２等の外部装置に幅広く対応することができる。
【０１２７】
また、図９を用いて説明したように、デジタルカメラ２から転送された画像データ及び印刷設定情報がプリンタ３のＲＡＭ５６に記憶され、該画像データに基づく画像及び印刷設定がＬＣＤ１０に表示されることにより、使用者は、デジタルカメラ２とプリンタ３とのデータ通信が終了した後に、プリンタ３のＬＣＤ１０により画像及び印刷設定を確認することができる。さらに、使用者は、ＬＣＤ１０により画像及び印刷設定を確認した後、プリンタ３のＲＡＭ５６に記憶された画像データ及び印刷設定情報に基づいて、印刷設定の変更や画像処理を行ったり、再び画像記録（印刷）をプリンタ３単体の操作により行うことができる。
【０１２８】
なお、本実施の形態では、単印刷モード、印刷表示モード及び単表示モードのすべてが設定可能なプリンタ３を用いた画像形成システム１を説明したが、本発明が、これら３つのモードが選択設定可能なものに限定されないことは当然である。また、本実施の形態に係る画像形成システム１では、プリンタ３に接続される外部装置としてデジタルカメラ２を説明したが、本発明に係る外部装置はデジタルカメラ２に限定されず、例えば、デジタルビデオカメラやデジタルカメラ機能を有する複合装置等であってもよいことは当然である。
【図面の簡単な説明】
【０１２９】
【図１】図１は、本発明の実施の形態に係る画像形成システム１の構成を示す外観図である。
【図２】図２は、デジタルカメラ２のの内部構成を示すブロック図である。
【図３】図３は、プリンタ３の内部構成を示す断面図である。
【図４】図４は、プリンタ３の内部構成を示すブロック図である。
【図５】図５は、プリンタ３における印刷モード設定の動作を示すフローチャートである。
【図６】図６は、プリンタ３における印刷処理を示すフローチャートである。
【図７】図７は、プリンタ３における単印刷処理を示すフローチャートである。
【図８】図８は、プリンタ３における印刷表示処理を示すフローチャートである。
【図９】図９は、プリンタ３におけるデジタルカメラデータ表示処理を示すフローチャートである。
【図１０】図１０は、プリンタ３におけるデジタルカメラデータ表示後印刷処理を示すフローチャートである。
【図１１】図１１は、プリンタ３における単表示処理を示すフローチャートである。
【符号の説明】
【０１３０】
１・・・画像形成システム
２・・・デジタルカメラ（外部装置）
３・・・プリンタ（記録装置）
９・・・操作キー（入力手段）
１０・・・ＬＣＤ（表示手段、画面）
２０・・・ＣＣＤ（撮影手段）
２５・・・操作ボタン（第１の入力手段）
３１・・・記録メディア（第１の記憶手段）
３２・・・ＵＳＢスレーブチップ（第１の通信手段）
４８・・・記録ヘッド（記録手段）
５４・・・ＣＰＵ（制御手段）
５６・・・ＲＡＭ（第２の記憶手段、記憶媒体）
６８・・・ＵＳＢホストチップ（第２の通信手段）
【図１】
0004487879.tif 000002
【図２】
0004487879.tif 000003
【図３】
0004487879.tif 000004
【図４】
0004487879.tif 000005
【図５】
0004487879.tif 000006
【図６】
0004487879.tif 000007
【図７】
0004487879.tif 000008
【図８】
0004487879.tif 000009
【図９】
0004487879.tif 000010
【図１０】
0004487879.tif 000011
【図１１】
0004487879.tif 000012